【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
情報を受信する受信手段と、
受信した情報を解析する解析手段と、
該解析手段の解析結果に基づいて、ユーザより指示された処理と該処理の実行が指示された装置とを決定する決定手段と、
他の装置に処理の実行を指示する指示手段と、
他の装置の状況を認識する認識手段と、
前記解析結果及び前記状況に基づいて、前記指示された処理を前記指示された装置に指示すべきか否かを判断する判断手段と、
該判断手段により指示すべきでないと判断された場合に、前記ユーザに問い合わせを行なう質問手段とを有することを特徴とする情報処理装置。
【請求項２】
前記質問手段が、ユーザの指示に対する代案を提示することを特徴とする請求項1に記載の情報処理装置。
【請求項３】
前記認識手段により、前記指示された装置が前記指示された処理を実行できないと認識された場合に、前記質問手段が、ユーザの指示に対する代案を提示することを特徴とする請求項２に記載の情報処理装置。
【請求項４】
前記認識手段により、前記指示された装置より前記指示された処理を実行するのに適切な装置が存在すると認識された場合に、前記質問手段が、当該適切な装置での実行を前記代案として提示することを特徴とする請求項２に記載の情報処理装置。
【請求項５】
前記認識手段により、前記指示された処理より適切な処理が存在すると認識された場合に、前記質問手段が、当該適切な処理の実行を前記代案として提示することを特徴とする請求項２に記載の情報処理装置。
【請求項６】
前記質問手段により提示された代案に対して、ユーザからの応答を受信する応答受信手段を有することを特徴とする請求項２に記載の情報処理装置。
【請求項７】
前記応答受信手段により、前記代案に対して、ユーザからの応答が承認である場合に、前記代案の実行を該当する装置に指示することを特徴とする請求項６に記載の情報処理装置。
【請求項８】
前記質問手段が、複数の案を提示することを特徴とする請求項２に記載の情報処理装置。
【請求項９】
前記認識手段は、前記他の装置のプロパティを認識することを特徴とする請求項１に記載の情報処理装置。
【請求項１０】
前記認識手段は、前記他の装置の現在のステータスを認識することを特徴とする請求項１に記載の情報処理装置。
【請求項１１】
情報処理装置における情報処理方法であって、
情報を受信する受信工程と、
受信した情報を解析する解析工程と、
該解析工程の解析結果に基づいて、ユーザより指示された処理と該処理の実行が指示された装置とを決定する決定工程と、
他の装置に処理の実行を指示する指示工程と、
他の装置の状況を認識する認識工程と、
前記解析結果及び前記状況に基づいて、前記指示された処理を前記指示された装置に指示すべきか否かを判断する判断工程と、
該判断工程により指示すべきでないと判断された場合に、前記ユーザに問い合わせを行なう質問工程とを有することを特徴とする情報処理方法。
【請求項１２】
前記質問工程では、ユーザの指示に対する代案を提示することを特徴とする請求項１１に記載の情報処理方法。
【請求項１３】
前記認識工程により、前記指示された装置が前記指示された処理を実行できないと認識された場合に、前記質問工程において、ユーザの指示に対する代案を提示することを特徴とする請求項１２に記載の情報処理方法。
【請求項１４】
前記認識工程により、前記指示された装置より前記指示された処理を実行するのに適切な装置が存在すると認識された場合に、前記質問工程において、当該適切な装置での実行を前記代案として提示することを特徴とする請求項１２に記載の情報処理方法。
【請求項１５】
前記認識工程により、前記指示された処理より適切な処理が存在すると認識された場合に、前記質問工程において、当該適切な処理の実行を前記代案として提示することを特徴とする請求項１２に記載の情報処理方法。
【請求項１６】
前記質問工程により提示された代案に対して、ユーザからの応答を受信する応答受信工程を有することを特徴とする請求項１２に記載の情報処理方法。
【請求項１７】
前記応答受信工程により、前記代案に対して、ユーザからの応答が承認である場合に、前記代案の実行を該当する装置に指示することを特徴とする請求項１６に記載の情報処理方法。
【請求項１８】
前記質問工程において、複数の案を提示することを特徴とする請求項１２に記載の情報処理方法。
【請求項１９】
前記認識工程で、前記他の装置のプロパティを認識することを特徴とする請求項１１に記載の情報処理方法。
【請求項２０】
前記認識工程で、前記他の装置の現在のステータスを認識することを特徴とする請求項１１に記載の情報処理方法。
【請求項２１】
外部装置と通信するための通信手段と、
情報を出力する出力手段と、
前記通信手段を介して、前記外部装置に情報を要求し、該要求した情報を前記外部装置より受信して、前記出力手段により出力するように制御する制御手段とを有することを特徴とする情報処理装置。
【請求項２２】
ユーザからの出力要求を入力するための入力手段を有し、該出力要求に基づいて、前記制御手段が、前記外部装置に情報を要求するように制御することを特徴とする請求項２１に記載の情報処理装置。
【請求項２３】
状況を判断するための判断手段を有し、該判断手段による判断結果に基づいて、前記制御手段が、前記外部装置に情報を要求するように制御するることを特徴とする請求項２１に記載の情報処理装置。
【請求項２４】
外部装置と通信するための通信工程と、
情報を出力する出力工程と、
前記通信工程において、前記外部装置に情報を要求し、該要求した情報を前記外部装置より受信して、前記出力工程で出力するように制御する制御工程とを有することを特徴とする情報処理方法。
【請求項２５】
ユーザからの出力要求を入力するための入力工程を有し、該出力要求に基づいて、前記制御工程では、前記外部装置に情報を要求するように制御することを特徴とする請求項２４に記載の情報処理方法。
【請求項２６】
状況を判断するための判断工程を有し、該判断工程による判断結果に基づいて、前記制御工程では、前記外部装置に情報を要求するように制御することを特徴とする請求項２４に記載の情報処理方法。
【手続補正２】
【補正対象書類名】明細書
【補正対象項目名】０００８
【補正方法】変更
【補正の内容】
【０００８】
【課題を解決するための手段】
上記課題を解決するために、本発明によれば、情報処理装置に、情報を受信する受信手段と、受信した情報を解析する解析手段と、該解析手段の解析結果に基づいて、ユーザより指示された処理と該処理の実行が指示された装置とを決定する決定手段と、他の装置に処理の実行を指示する指示手段と、他の装置の状況を認識する認識手段と、前記解析結果及び前記状況に基づいて、前記指示された処理を前記指示された装置に指示すべきか否かを判断する判断手段と、該判断手段により指示すべきでないと判断された場合に、前記ユーザに問い合わせを行なう質問手段とを備える。


【手続補正３】
【補正対象書類名】明細書
【補正対象項目名】０００９
【補正方法】変更
【補正の内容】
【０００９】
また、本発明の他の態様によれば、情報処理方法に、情報を受信する受信工程と、受信した情報を解析する解析工程と、該解析工程の解析結果に基づいて、ユーザより指示された処理と該処理の実行が指示された装置とを決定する決定工程と、他の装置に処理の実行を指示する指示工程と、他の装置の状況を認識する認識工程と、前記解析結果及び前記状況に基づいて、前記指示された処理を前記指示された装置に指示すべきか否かを判断する判断工程と、該判断工程により指示すべきでないと判断された場合に、前記ユーザに問い合わせを行なう質問工程とを備える。


【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】